(57)【特許請求の範囲】
【請求項１】
洗濯物の洗濯と、脱水、及び乾燥に供する回転槽を収容する外槽を外箱の内部に具えると共に、
前記外槽の上部の開口部を開閉する内蓋と、
前記外箱の外部から吸気して温風を生成し、この生成した温風を前記外槽の内部に供給して、該外槽の上部の開口部から前記外箱と外槽との間を通し、外箱の外部に排出する温風供給装置とを具え、
前記内蓋の外側の部分に、前記外槽から排出される温風よりリントを捕獲するフィルタを設け、それより内側の部分を、前記外槽の内部を透視することが可能なようにして成ることを特徴とする洗濯乾燥機。
【発明の詳細な説明】
【０００１】
【発明の属する技術分野】
本発明は、乾燥方式が温風排出式の洗濯乾燥機に関する。
【０００２】
【従来の技術】
近年、洗濯物の洗濯と脱水とができるだけでなく、乾燥までできる洗濯乾燥機が供されている。この洗濯乾燥機の乾燥方式は、温風循環式であり、すなわち、外箱の内部に、回転槽を収容する外槽を具えると共に、循環路と、除湿器、及びファン、ヒータを具えた構成で、回転槽を回転させることにより、それに収容された洗濯、脱水後の洗濯物を撹拌し、この状況で、ファンにより外槽内の空気（回転槽内の空気）を循環路を通して循環させ、その循環空気を除湿器により除湿した上で、ヒータにより加熱して温風化し、外槽内に供給するということを繰返すことにより、洗濯物から漸次湿気を奪って乾燥させるものである。
【０００３】
【発明が解決しようとする課題】
上記従来のものの場合、外槽内の空気を循環し除湿する分、乾燥性能の点では優れるものの、そのために、ファン、ヒータだけでなく、循環路、及び除湿器が必要で、構造が複雑であり、且つ大掛かりとなることもあって、製品が高価であるという欠点を有していた。
本発明は上述の事情に鑑みてなされたものであり、従ってその目的は、乾燥性能をある程度充分に得ながら、構造の簡素化ができて、製品価格の充分な低廉化ができる洗濯乾燥機を提供するにある。
【０００４】
【課題を解決するための手段】
上記目的を達成するために、本発明の洗濯乾燥機は、洗濯物の洗濯と、脱水、及び乾燥に供する回転槽を収容する外槽を外箱の内部に具えると共に、前記外槽の上部の開口部を開閉する内蓋と、前記外箱の外部から吸気して温風を生成し、この生成した温風を前記外槽の内部に供給して、該外槽の上部の開口部から前記外箱と外槽との間を通し、外箱の外部に排出する温風供給装置とを具え、前記内蓋の外側の部分に、前記外槽から排出される温風よりリントを捕獲するフィルタを設け、それより内側の部分を、前記外槽の内部を透視することが可能なようにして成ることを特徴とする（請求項１の発明）。
【０００５】
このものによれば、温風を外槽の内部に供給して、該外槽の上部の開口部から外箱と外槽との間を通し、外箱の外部に排出する構成により、洗濯物から漸次水分を蒸発させて外箱の外部に排出し、もって、洗濯脱水後の洗濯物を乾燥させることができるもので、従来のもののような複雑で且つ大掛かりな構造を要せずに洗濯物を充分乾燥させることができる。
【０００６】
又、その場合、洗濯物の乾燥に供した温風を外箱の外部に排出することに伴い、洗濯物から散出したリント（糸屑）までが外箱の外部に排出されると好ましくないが、そのリントは、温風が外槽の上部の開口部から排出されるところで、フィルタにより捕獲されるので、外槽外に、更には外箱外に排出されることが避けられる。
更に、フィルタは外槽の上部に位置するため、その目詰まりなど、リントの捕獲状況の判別がしやすい。
加えて、このものでは、フィルタによるリントの捕獲面積を大きく確保でき、しかも、外槽の内部を見やすくできる。
【００１２】
【発明の実施の形態】
以下、本発明の基本構成につき、図１を参照して説明する。
図１には洗濯乾燥機を全体で示しており、外箱１の内部に外槽２を配設している。外槽２は有底の円筒形を成しており、一方、外箱１は下面に開口部３を有する直方体状を成していて、この外箱１の上部から吊下した複数本の吊り棒４ａを主体とする支持機構４により外槽２を揺動可能に支持している。
【００１３】
外槽２の内部には回転槽５を収容しており、この回転槽５も有底の円筒形を成し、その上縁部には回転バランサ６を設けている。又、この回転槽５の内下部には撹拌体７を配設しており、この撹拌体７と回転槽５とを選択的に回転駆動する一般にモータを主体とする駆動装置８（詳しくは図示せず）を、外槽２の外下方部に設けている。
【００１４】
一方、外槽２の上縁部にはリング状の槽カバー９を取付けており、この槽カバー９には、内蓋１０を後側（図中右側）でヒンジ１１により上下に回動可能に枢着し、その回動によって内蓋１０が槽カバー９の内側開口部１２を開閉するようにしている。
【００１５】
そして又、内蓋１０には、中央部に例えば複数の横長スリットから成る開口部１３を形成しており、これを外槽２の上部の開口部として、その裏側（内蓋１０が閉鎖した図示の状態では、下側）には、該開口部１３の全部を覆うフィルタ１４を取付けている。このフィルタ１４は、洗濯物（衣類）Ｓから散出するリントを捕獲する例えば目の細かい網や繊維等から成っている。
【００１６】
しかして、前記外箱１上にはトップカバー１５を装着しており、このトップカバー１５には、上記内蓋１０、ひいては回転槽５内に臨む洗濯物出入口１６を形成すると共に、該出入口１６を開閉する、この場合、２つ折り構造の蓋１７を枢着している。
【００１７】
又、このトップカバー１５の後部には、温風供給装置１８を配設している。この温風供給装置１８は、詳細には、トップカバー１５の最後部に配設した、送風羽根１９ａと、これを囲繞するケーシング１９ｂ、及び送風羽根１９ａを回転駆動するモータ１９ｃから成る送風機１９と、この送風機１９のケーシング１９ｂに連通させて該送風機１９の前方に配設したヒータケース２０、ヒータケース２０内に配設したヒータ２１、及びヒータケース２０から前記槽カバー９の後部に形成した接続口２２を接続した、伸縮性や可撓性に富む例えば蛇腹状の接続ホース２３から成っている。
【００１８】
次に、上記構成のものの作用を述べる。
洗濯時には、洗濯物Ｓを収容した回転槽５内から外槽２内に図示しない給水装置により洗濯水を供給して溜め、この状態で、撹拌体７を回転させることにより、洗濯物を洗濯水と共に撹拌して洗濯（洗い、すすぎ）を行う。
脱水時には、回転槽５を回転させることにより、該回転槽５内の洗濯物の水分を、遠心力で、例えば回転槽５の周側部に有した多数の通孔（図示せず）から振り切って、図示しない排水ホースを通じ機外に排出する。
【００１９】
そして、乾燥時には、例えば回転槽５と撹拌体７とを交互に回転させつつ、温風供給装置１８を作動させる。温風供給装置１８の作動は、送風機１９における送風羽根１９ａの回転と、ヒータ２１の発熱であり、送風羽根１９ａはその回転により、矢印で示すごとく、トップカバー１５の背部の吸気口２４から外箱１外の空気をケーシング１９ｂ内に吸入し、ヒータケース２０内に送入する。このヒータケース２０内に送入された空気は、そこで発熱中のヒータ２１により加熱されて温風化され、すなわち、温風が生成される。
【００２０】
そして、生成された温風は、接続ホース２３を通って外槽２内に供給され、更に回転槽５内に供給される。このとき、回転槽５内では、該回転槽５と撹拌体７の回転により洗濯物が撹拌されており、かくして、外槽２から回転槽５内に供給された温風は回転槽５内の洗濯物と効率良く接触し、洗濯物の水分を蒸発させる。
【００２１】
そして、その洗濯物から蒸発した水分を含んだ温風が、その後、回転槽５の周側部の前記通孔や回転槽５の上端開口から出て、フィルタ１４を通り、更に、内蓋１０の開口部１３（外槽２の上部の開口部）から外槽２と外箱１との間を通り、外箱１の下面の開口部３から外部に排出される。これを所定時間続けることにより、洗濯物を乾燥させる。
又、この乾燥中、洗濯物からはリントが散出し、それが温風に運ばれるようになるが、それは温風がフィルタ１４を通るところで、該フィルタ１４に捕獲される。
【００２２】
このように本構成のものでは、温風供給装置１８が、外箱１の外部から吸気して温風を生成し、この生成した温風を、回転槽５を収容した外槽２の内部に供給して、内蓋１０の開口部１３（外槽２の上部の開口部）から外箱１と外槽２との間を通し、外箱１の外部に排出することにより、洗濯脱水後の洗濯物を乾燥させることができるもので、従来のもののような、外槽内の空気を循環させるための循環路や、その循環空気を除湿する除湿器等まで含む、複雑で且つ大掛かりな構造を要せずに、洗濯物を充分に乾燥させることができる。かくして本構成のものの場合、乾燥性能をある程度充分に得ながら、構造の簡素化ができて、製品価格の充分な低廉化ができるものである。
【００２３】
又、本構成のものの場合、洗濯物の乾燥に供した温風を外箱１の外部に排出することに伴い、洗濯物から散出したリントまでが外箱１の外部に排出されると好ましくないが、そのリントは、温風が外槽２の上部の開口部（内蓋１０の開口部１３）から排出されるところで、フィルタ１４により捕獲されるので、外槽２外に、更には外箱１外にリントが排出されることが避けられ、洗濯乾燥機を設置した部屋をリントで汚すことを防止できる。
【００２４】
更に、この場合、フィルタ１４は外槽２の上部に位置するため、その目詰まりなど、リントの捕獲状況の判別がしやすい。よって、捕獲したリントを除去するフィルタ１４の掃除も、必要な時期を適切に判断して実行することができ、これによって、温風の通風性を捕獲リントに阻害されず良好に維持でき、ひいては乾燥性能を良好に維持することができる。
【００２５】
以上に対して、図２ないし図１３は本発明の第１ないし第９参考例と一実施例を示すもので、それぞれ、基本構成と同一の部分には同一の符号を付して説明を省略し、異なる部分ついてのみ述べる。
［第１参考例］
図２及び図３に示す第１参考例においては、フィルタ３１を設ける外槽２の上部の開口部３２が、外槽２の内部に給水する給水口を兼ねるようにしている。
【００２６】
詳細には、槽カバー９の後部に、開口部３２を形成し、この開口部３２に、前述のフィルタ１４に代わるフィルタ３１を張設すると共に、給水装置３３の給水出口３４（図３参照）を上方より離間させて臨ませている。これにより、洗濯時に、給水装置３３の給水出口３４から図３に矢印で示すように出る水が、開口部３２（フィルタ３１）を通って外槽２内に供給されるものであり、かくして、フィルタ３１を設ける外槽２の上部の開口部３２が、外槽２の内部に給水する給水口を兼ねるようにしている。
【００２７】
なお、給水装置３３は、図２に示すように、給水弁３５と、給水ケース３６とから成るもので、温風供給装置１８と並べてトップカバー１５の後部に配設している。又、給水弁３５は、給水受口３５ａに図示しない接続ホースを介し水源である水道の蛇口が接続されるようになっていて、矢印で示すように、その水道の蛇口から供給された水を給水ケース３６に送る。
【００２８】
そして、給水ケース３６は、図３に示すように、内部を仕切部３６ａにより、狭小な上室３６ｂとそれより広大な下室３６ｃとに仕切っていて、上記給水弁３５から送られた水を上室３６ｂで受け、それを仕切部３６ａが有する多数の通水孔３７から噴出させて下室３６ｃで広げ、該下室３６ｂの最下部に有した前記給水出口３４から外槽２の上部の開口部３２に向け出すようになっている。
【００２９】
しかして、このものでは、乾燥時に、温風供給装置１８にて外槽２内に供給された温風が、開口部３２から外槽２外に排出される。すなわち、このものでは、外槽２の内部に給水するための給水口（開口部３２）を利用して温風の排出ができるものである。なお、その開口部３２にはフィルタ３１を張設しており、開口部３２を通る温風に運ばれたリントはそのフィルタ３１によって捕獲される。
【００３０】
ここで、外槽２内に給水する給水口（開口部３２）に関しては、それと給水出口３４とをホースで密に連結する構成として、外槽２外へのリントの排出を阻止するようにする考えもある。しかしながら、その場合、ホースには洗濯時における撹拌体７の回転による洗濯物の撹拌、脱水時における回転槽５の回転による洗濯物の遠心脱水、更には乾燥時における撹拌体７の回転及び回転槽５の回転による洗濯物の撹拌にそれぞれ伴う外槽２の揺動に追従し得る伸縮性や可撓性が要求され、その結果、蛇腹状のホースを使用する必要が生じる。しかしながら、この蛇腹状のホースは、上記外槽２の揺動による高負荷に耐え得る信頼性を確保するために、長期にわたる試験評価が必要であり、高価でもある。
【００３１】
これに対し、本構成のものでは、外槽２の上部の開口部３２にはフィルタ３１を設け、このフィルタ３１により外槽２外へのリントの排出を阻止するようにしており、そこには蛇腹状のホースを使用する必要がない。そして、そのフィルタ３１は、蛇腹状のホースと違い、長期にわたる試験評価が不要なものであり、コストも安くできる。
なお、この第１参考例のものの場合、内蓋１０にも、第１実施例同様に、温風排出用の開口部と、その排出温風からリントを捕獲するフィルタとを設けるようにしても良い。
【００３２】
［第２参考例］
図４に示す第２参考例においては、上述の外槽２の上部の給水口を兼ねる開口部３２が、洗剤置き部４１を有するようにしている。
詳細には、槽カバー９の開口部３２の下方部に、その後縁部より前方へ漸次下降しつつ延びる上棚部４１ａを形成すると共に、それの下方に位置して反対に前縁部より後方へ漸次下降しつつ延びる下棚部４１ｂを形成することによって、洗剤置き部４１を構成しており、この洗剤置き部４１の上、特には上棚部４１ａの上に、洗濯（洗い）に必要な洗剤４２を使用者に置かせるようにしている。
【００３３】
これにより、給水装置３３の給水出口３４から矢印で示すように出た水が、前述のように開口部３２を通って外槽２内に供給されるとき、洗剤置き部４１（上棚部４１ａ）の上に置かれた洗剤４２を押し流して、この洗剤４２と共に外槽２内に供給される。
このものでは、従来の洗剤置き部を設けていた箇所に洗剤置き部４１を設けなくて良い。このため、そこにはその分のスペースが空く。従来の洗剤置き部は、通常、トップカバー１５の後部に設けられており、従って、本構成のものの場合には、トップカバー１５の後部にスペースが空くことになる。
【００３４】
ここで、トップカバー１５の後部には、給水装置３３を構成する給水弁３５や給水ケース３６を設けており、更に本構成のものの場合、温風供給装置１８を構成する送風機１９やヒータケース２０及びヒータ２１を設けている。
これに対し、トップカバー１５の後部に上述のように洗剤置き部４１の分のスペースが空く本構成のものでは、その空きスペースによる余裕で、上記給水装置３３や温風供給装置１８等の必要な部品を無理なく設置できるものであり、それらの部品の設置に都合良くできる。
【００３５】
加えて、この場合、外槽２の上部の開口部３２には、上述のフィルタ３１に代わって排出温風からリントを捕獲するフィルタ４３を着脱可能に設けており、且つ、この着脱可能なフィルタ４３を、外槽２の上部の開口部３２を有する部材である槽カバー９の外側（上側）に設けてもいる。
【００３６】
フィルタ４３の着脱構造は、フィルタ枠４３ａの後端部に設けた突起４４を、槽カバー９の開口部３２の後側に形成した穴４５に圧入し、フィルタ枠４３ａの前端部に設けた爪４６を、槽カバー９の開口部３２の前側に形成した孔４７に係合させるものである。従って、穴４５から突起４４を抜き取り、孔４７から爪４６を外せば、フィルタ４３を取り外すことができる。
【００３７】
このようにすることにより、捕獲したリントを除去するフィルタ４３の掃除が、フィルタ４３を外した状態で、このフィルタ４３を単独に扱い、容易にできる。又、この場合、フィルタ４３の着脱自体、フィルタ４３が外槽２の上部に位置することで、しやすいし、更に、槽カバー９の外側に設けていることで、一層しやすい。
【００３８】
更に又、その着脱可能なフィルタ４３を槽カバー９（外槽２の上部の開口部３２を有する部材）の外側に設けていることで、フィルタ４３が洗濯時や脱水時並びに乾燥時の洗濯物の当たりを受けず、従ってそれによる外れの心配がない。又、万一脱水時の振動等によって外れることがあっても、外槽２内に落ちることが避けられ、よって、フィルタ４３の捕獲したリントが洗濯物に再付着するおそれをもなくすことができる。
【００３９】
［第３参考例］
図５に示す第３参考例においては、内蓋１０の外側に凹部５１を形成すると共に、該凹部５１の底部に前述の開口部１３を形成し、そして又、凹部５１には、前述のフィルタ１４に代わって排出温風からリントを捕獲するフィルタ５２を出し入れ可能に収納すると共に、該フィルタ５２を覆うフィルタカバー５３を、内蓋１０の複数個の孔５４に対する爪５５の係合によって着脱可能に取付けている。なお、フィルタカバー５３には、内蓋１０の開口部１３同様の開口部５６を形成して、通風性を確保している。
【００４０】
このようにしても、フィルタ５２はその着脱が可能で、且つ、外槽２の上部の開口部１３を有する部材（この場合、内蓋１０）の外側に設けられる。従って、フィルタ５２の掃除性や着脱性並びに外れの防止について、上記第２参考例同様の作用効果を得ることができる。
【００４１】
［第４参考施例］
図６及び図７に示す第４参考例においては、内蓋１０の内側に、前述の開口部１３に対向させて、それと同様の開口部６１を有するフィルタカバー６２を一体に形成することにより、袋部６３を形成し、この袋部６３の内部に、上述のフィルタ５２を差し込んで出し入れ可能に収納している。
【００４２】
このようにしても、フィルタ５２はその着脱が可能であり、従って、フィルタ５２の掃除性や着脱性について、前記第２参考例同様の作用効果を得ることができる。又、この場合、フィルタカバー６２を、内蓋１０の材料と同じ材料、例えばプラスチック等で形成する場合に好都合であり、更に、フィルタ５２は、袋部６３に対する単なる抜き差しでその着脱ができるので、取扱い性を良くすることができる。
【００４３】
［第５参考例］
図８に示す第５参考例においては、内蓋１０の内側に、前述の開口部１３に対向させて、それと同様の開口部７１を有するフィルタカバー７２を、内蓋１０とは別体にて例えば複数個のねじ７３により取付けることによって、袋部７３を形成し、この袋部７３の内部に、フィルタ５２を差し込んで出し入れ可能に収納している。
【００４４】
このものでは、例えば内蓋１０をステンレスで形成し、フィルタカバー７２をプラスチックで形成するなど、内蓋１０とフィルタカバー７２とを別材料で形成する場合に好都合であり、そのほかは上記第４参考例と同様の作用効果を得ることができる。
【００４５】
［第６参考例］
図９に示す第６参考例においては、前記第３参考例同様に、内蓋１０の外側に凹部８１（形状が矩形である点が、第３参考例のほぼ半円形である凹部５１と異なる）を形成すると共に、該凹部８１の底部に前述の開口部１３を形成している。
【００４６】
更に、凹部８１に対しては、上記開口部１３と同様の開口部８２を有するフィルタカバー８３（これも矩形）を、後側でヒンジ８４により上下に回動可能に枢着し、その回動によってフィルタカバー８３が開閉されるようにしている。そして、凹部８１には、前述のフィルタ１４に代わって排出温風からリントを捕獲するフィルタ８５（これも矩形）を収納し、その上で、フィルタカバー８３を閉じてフィルタ８５を覆うようにしている。
【００４７】
このものでは、フィルタカバー８３が着脱式でなく開閉式である分、第４実施例のものよりフィルタ８５の着脱をしやすくできる利点を有し、そのほか第３参考例と同様の作用効果を奏する。
【００４８】
［一実施例］
図１０に示す一実施例においては、内蓋１０の周囲部、特には外側の周囲部に、前述の開口部１３に代わる開口部９１（外槽２の上部の開口部）を放射状に有する凹部９２を形成し、この凹部９２にそれと同形にて前述のフィルタ１４に代わり排出温風からリントを捕獲するフィルタ９３を収納し、そして、該フィルタ９３を覆うフィルタカバー９４を、内蓋１０の複数個の孔９５に対する爪９６の係合によって着脱可能に取付けている。なお、フィルタカバー９４には内蓋１０の上記開口部９１に対応する開口部９７を形成して、通風性を確保している。更に、この場合、内蓋１０の中央部には、例えば横長長円形の開口部に対する透明板の装着によって透視窓９８を設け、これにより、外槽２の内部を透視することが可能なようにしている。
【００４９】
このものでは、フィルタ９３を内蓋１０の周囲部に設けたことで、該フィルタ９３によるリントの捕獲面積を大きく確保でき、しかも、内蓋１０には中央部に透視窓９８を設けたことによって、外槽２の内部、特には洗濯、脱水、乾燥時における洗濯物の様子を見やすくできる。
【００５０】
［第７参考例］
図１１に示す第７参考例においては、内蓋１０の外側に、開口部１３を囲繞して、後側に２つの袋状の引掛受け部１０１と１つの引掛受け孔１０２、前側に１つのＬ字形の引掛受け部１０３と１つの引掛受け孔１０４、両側部にそれぞれ１つの位置決め孔１０５を形成している。
【００５１】
又、それに対し、前述のフィルタ１４に代わって排出温風からリントを捕獲するフィルタ１０６には、後側に２つの突起１０７、前側に１つの突起１０８を形成していて、そのうちの突起１０７を上記引掛受け部１０１にそれぞれ挿入し、突起１０８を引掛受け部１０３に挿入している。
【００５２】
そして、開口部１３同様の開口部１０９を有するフィルタカバー１１０には、後側に爪１１１、前側にも爪１１２、両側部にはそれぞれ突起１１３を形成して、そのうちの突起１１３を上記位置決め孔１０５に挿入しつつ、爪１１１，１１２を引掛受け孔１０２，１０４に係合させ、かくしてフィルタ１０６及びフィルタカバー１１０を着脱可能に取付けている。
このようにしても、前記第３参考例同様の作用効果を得ることができる。
【００５３】
［第８参考例］
図１２に示す第８参考例においては、フィルタカバー１２１に開口部１２２を放射状に形成している。
［第９参考例］
図１３に示す第９参考例においては、フィルタカバー１３１に開口部１３２を多数の同心円状に形成している。
【００５４】
これら第８参考例及び第９参考例のようにしても、温風の排出について、前記基本構成同様の作用を得ることができる。
なお、フィルタカバーの開口部については、それを内蓋の開口部や槽カバーの開口部（外槽２の上部の開口部）より総開口面積を大きく形成することによって、温風の通りを良くできる利点を有する。
又、本発明は上記し且つ図面に示した一実施例にのみ限定されるものではなく、要旨を逸脱しない範囲内で適宜変更して実施し得る。
【００５５】
【発明の効果】
以上説明したように、本発明の洗濯乾燥機によれば、主として、外箱の外部から吸気して温風を生成し、この生成した温風を外槽の内部に供給して、該外槽の上部の開口部から外箱と外槽との間を通し、外箱の外部に排出する温風供給装置を具え、外槽の上部の開口部を開閉する内蓋の外側の部分に、前記外槽から排出される温風よりリントを捕獲するフィルタを設け、それより内側の部分を、前記外槽の内部を透視することが可能なようにしたことにより、乾燥性能をある程度充分に得ながら、構造の簡素化ができて、製品価格の充分な低廉化ができ、そのほか、その乾燥に伴って洗濯物から散出するリントを出さず、更に、そのリントの捕獲状況の判別もしやすくでき、加えて、フィルタによるリントの捕獲面積を大きく確保でき、しかも、外槽の内部を見やすくできるという著効が得られる。
【図面の簡単な説明】
【図１】本発明の基本構成を示す全体の縦断側面図
【図２】本発明の第１参考例を示す主要部分の分解斜視図
【図３】図２のＡ−Ａ線に沿う主要部分の組立て状態における縦断側面図
【図４】本発明の第２参考例を示す図３相当図
【図５】本発明の第３参考例を示す主要部分の分解斜視図
【図６】本発明の第４参考例を示す図５相当図
【図７】主要部分の組立て状態における縦断側面図
【図８】本発明の第５参考例を示す図５相当図
【図９】本発明の第６参考例を示す図５相当図
【図１０】本発明の一実施例を示す図５相当図
【図１１】本発明の第７参考例を示す図５相当図
【図１２】本発明の第８参考例を示すフィルタカバー単体の斜視図
【図１３】本発明の第９参考例を示す図１２相当図
【符号の説明】
１は外箱、２は外槽、５は回転槽、９は槽カバー（外槽の上部の開口部を有する部材）、１０は内蓋（外槽の上部の開口部を有する部材）、１３は開口部、１４はフィルタ、１８は温風供給装置、３１はフィルタ、３２は開口部、３３は給水装置、４１は洗剤置き部、４３，５２，８５，９３はフィルタ、９８は透視窓、１０６はフィルタを示す。
【図１】
0003618728.tif 000002
【図２】
0003618728.tif 000003
【図３】
0003618728.tif 000004
【図４】
0003618728.tif 000005
【図５】
0003618728.tif 000006
【図６】
0003618728.tif 000007
【図７】
0003618728.tif 000008
【図８】
0003618728.tif 000009
【図９】
0003618728.tif 000010
【図１０】
0003618728.tif 000011
【図１１】
0003618728.tif 000012
【図１２】
0003618728.tif 000013
【図１３】
0003618728.tif 000014